(57)【要約】【課題】Ｗｅｂページ内の複数の入力フォームに複数のテキストデータ入力する際に入力操作にかかる利用者の負荷を軽減する。【解決手段】各種アプリケーションがそれぞれ個別に管理しているテキストデータをアプリケーションの切り替えを行いながら連続的に利用者が選択し、前記選択されたテキストデータを選択された順番に順次記憶手段に格納し、利用者からの指示があった場合にＷｅｂページ上の複数の入力フォームに前記記憶手段内にあるテキストデータを一括自動入力する。【選択図】      図５
2006268327.tif 000002
【特許請求の範囲】
【請求項１】
有線もしくは無線を用いてインターネットに接続できる情報処理装置において、
利用者からの入力を受け付ける操作手段と、ＷＷＷブラウザと、その他少なくとも１つ以上のアプリケーションソフトと、記憶手段と、記述言語の内容を解析する記述解析手段と、Ｗｅｂページ上のテキスト入力フォームにテキストデータを書き込む自動記述手段と、を有し、
前記各種アプリケーションがそれぞれ個別に管理しているテキストデータをアプリケーションの切り替えを行いながら連続的に利用者が選択する手段と、前記選択されたテキストデータを選択された順番に順次前記記憶手段に格納する手段と、利用者からの指示があった場合に前記記述解析手段により解析されたＷｅｂページ上の複数の入力フォームに前記自動記述手段が前記記憶手段内にあるテキストデータを一括自動入力する手段とを設けたことを特徴とする情報処理装置。
【請求項２】
前記自動記述手段がＷｅｂページ上のスイッチをＯＮすることができる機能を有しており、利用者の設定によって任意に有効・無効にすることが可能な手段を設けた請求項１に記載の情報処理装置。
【請求項３】
前記記憶手段に記憶された連続的なテキストデータの内から前記自動記述手段が取り扱えるテキストデータの種類を利用者が設定することが可能な手段を設けた請求項１又は請求項２に記載の情報処理装置。
【請求項４】
前記記憶手段に記憶された連続的なテキストデータの内から前記自動記述手段が取り扱えないテキストデータの種類を利用者が設定することが可能な手段を設けた請求項１又は請求項２に記載の情報処理装置。
【請求項５】
利用者からの入力を受け付ける操作手段と、ＷＷＷブラウザと、その他少なくとも１つ以上のアプリケーションソフトと、記憶手段と、記述言語の内容を解析する記述解析手段と、Ｗｅｂページ上のテキスト入力フォームにテキストデータを書き込む自動記述手段と、を有し、有線もしくは無線を用いてインターネットに接続できる情報処理装置を制御するための情報処理制御方法であって、
前記各種アプリケーションがそれぞれ個別に管理しているテキストデータをアプリケーションの切り替えを行いながら連続的に利用者が選択するステップと、前記選択されたテキストデータを選択された順番に順次前記記憶手段に格納するステップと、利用者からの指示があった場合に前記記述解析手段により解析されたＷｅｂページ上の複数の入力フォームに前記自動記述手段が前記記憶手段内にあるテキストデータを一括自動入力するステップとを有することを特徴とする情報処理制御方法。
【請求項６】
利用者からの入力を受け付ける操作手段と、ＷＷＷブラウザと、その他少なくとも１つ以上のアプリケーションソフトと、記憶手段と、記述言語の内容を解析する記述解析手段と、Ｗｅｂページ上のテキスト入力フォームにテキストデータを書き込む自動記述手段と、を有し、有線もしくは無線を用いてインターネットに接続できる情報処理装置を制御するためのコンピュータプログラムであって、
前記各種アプリケーションがそれぞれ個別に管理しているテキストデータをアプリケーションの切り替えを行いながら連続的に利用者が選択するステップと、前記選択されたテキストデータを選択された順番に順次前記記憶手段に格納するステップと、利用者からの指示があった場合に前記記述解析手段により解析されたＷｅｂページ上の複数の入力フォームに前記自動記述手段が前記記憶手段内にあるテキストデータを一括自動入力するステップとを実行させるためのコンピュータプログラム。
【発明の詳細な説明】
【技術分野】
【０００１】
本発明は、ＷＷＷブラウザを有し有線もしくは無線でインターネットに接続できる情報処理装置におけるＷＷＷブラウザの入力フィールドさらにはボタンフィールドの操作に関するものである。特に、携帯電話等に入力手段が限られている情報処理装置、情報処理制御方法に関連する。
【背景技術】
【０００２】
近年ではＰＣ（Ｐｅｒｓｏｎａｌ  Ｃｏｍｐｕｔｅｒ）と有線を用いたインターネット利用に加えて携帯電話や携帯型情報処理装置と無線を用いたインターネット利用、情報処理機能付き固定電話と有線を用いたインターネット利用の需要が急激に増加してきている。
【０００３】
ＷＷＷブラウザを用いてネットサーフィンする際にはサイト運営者の発信する情報を閲覧するばかりでなく、ＷＷＷブラウザが表示する複数の入力フィールドに閲覧者からの情報を入力したり、送信ボタン等をクリックしたりといった閲覧者側の操作も必要である。
【０００４】
この閲覧者側の操作としてＰＣでは入力フィールドに対してキーボードから文字列を直接打ち込んで入力したり、他のアプリケーションとＷＷＷブラウザを巧みに切り替えて他のアプリケーション上にあるテキストデータをコピーし、ＷＷＷブラウザ上の入力フィールドに貼り付けを行う等が挙げられる。
【０００５】
また携帯電話や携帯型情報処理装置、情報処理機能付き固定電話などでは入力フィールドに対し装置特有の入力装置から文字列を直接打ち込んで入力したり、他のアプリケーション上にあるテキストデータをコピーし、ＷＷＷブラウザ上の入力フィールドに貼り付けを行う等が挙げられる。
【特許文献１】特開２０００−４７７９１号公報
【発明の開示】
【発明が解決しようとする課題】
【０００６】
前述の操作においてＰＣを使用する場合は表示ディスプレイが大きいことや、入力手段が充実していること、ＯＳ（Ｏｐｅｒａｔｉｎｇ  Ｓｙｓｔｅｍ）が充実している等の理由から、複数の入力フィールドにキーボード等を用いて入力したり、マウスもしくはそれ相当のデバイス等をもちいてテキストデータをコピー＆貼り付けを行うことで入力したり、動作中のアプリケーションを逐次切り替えたりすることが容易であった。
【０００７】
しかしながら携帯電話や携帯型情報処理装置、情報処理機能付き固定電話など小規模の装置では表示ディスプレイが小さいことや、入力手段が限られているなどの理由から、入力手段を用いて複数の入力フィールドに直接入力したり、テキストデータをコピー＆貼り付けを行うことで入力したりするには操作が煩雑であった。
【０００８】
また、例えば複数の入力フィールドを持つＷｅｂページにアクセスし、その入力フィールドに電話帳メモリ内などの複数のテキストデータ参照して入力したい場合、一旦ＷＷＷブラウザを終了し電話帳を起動してから所望のテキストデータ検索しこれらを一旦ノートなどに書き取り、Ｗｅｂページ上で個々に入力しなければならなかった。これらによりＷｅｂページにアクセスする回数も増え通信コストがかかってしまうという問題点がある。また、装置内のデータの処理にもかかわらず利用者がテキストデータを一旦書き取るなどといった余計な作業が発生していた。
【０００９】
本発明は上記従来の小規模な装置の問題点を鑑みてなされたものであってＷｅｂページを閲覧する前にＷｅｂページ上の複数の入力フィールドに入力すべくテキストデータを予め選択して記憶しておき、Ｗｅｂページを閲覧した際に利用者からの指示により前記記憶してあるテキストデータを自動一括入力する手段を設けることでＷｅｂ閲覧中に一旦ＷＷＷブラウザを終了し電話帳などのを起動してテキストデータを参照し再びＷＷＷブラウザを起動する等といった煩雑なアプリケーションの切り替えを行わずに済み、インターネット接続に必要な料金も軽減し、また利用者は複数の入力フィールドに対して限られた入力手段からテキストデータを一字ずつ入力することが無くなり利用者への負担を軽減する情報処理装置、情報処理制御方法を提供することを目的とする。
【課題を解決するための手段】
【００１０】
例えば、本発明の情報処理装置は、有線もしくは無線を用いてインターネットに接続できる情報処理装置において、利用者からの入力を受け付ける操作手段と、ＷＷＷブラウザと、その他少なくとも１つ以上のアプリケーションソフトと、記憶手段と、記述言語の内容を解析する記述解析手段と、Ｗｅｂページ上のテキスト入力フォームにテキストデータを書き込む自動記述手段と、を有し、前記各種アプリケーションがそれぞれ個別に管理しているテキストデータをアプリケーションの切り替えを行いながら連続的に利用者が選択する手段と、前記選択されたテキストデータを選択された順番に順次前記記憶手段に格納する手段と、利用者からの指示があった場合に前記記述解析手段により解析されたＷｅｂページ上の複数の入力フォームに前記自動記述手段が前記記憶手段内にあるテキストデータを一括自動入力する手段とを有することを特徴とする。
【発明の効果】
【００１１】
Ｗｅｂページを閲覧する前にＷｅｂページ上の複数の入力フィールドに入力すべくテキストデータを予め選択して記憶しておき、Ｗｅｂページを閲覧した際に利用者からの指示により前記記憶してあるテキストデータを自動一括入力する手段を設けたので、Ｗｅｂ閲覧中に一旦ＷＷＷブラウザを終了し電話帳などのデータベースアプリケーションを起動してテキストデータを参照し再びＷＷＷブラウザを起動する等といった煩雑なアプリケーションの切り替えを行わずに済み、インターネット接続に必要な料金も軽減し、また利用者は複数の入力フィールドに対して限られた入力手段からテキストデータを一字ずつ入力することが無くなり利用者への負担を軽減する装置の提供が可能になった。
【発明を実施するための最良の形態】
【００１２】
以下、図面を参照して本発明の実施の形態について説明する。
【実施例１】
【００１３】
図１は本発明の実施の形態の構成を示すブロック図である。
【００１４】
これはＣＰＵ１０１、操作手段１０２、ＷＷＷブラウザアプリケーションソフト（以下ＷＷＷブラウザと記す）１０３、複数のアプリケーションソフト群１０４、言語解析手段１０５、記憶手段１０６、自動記述手段１０７、外部接続端子１０８、外部通信回線１０９、無線通信手段１１０、表示部１１１で構成される。
【００１５】
ＣＰＵ１０１は本発明の各種動作を制御する演算装置である。
【００１６】
操作手段１０２はタッチパネルやキー、マウス等を用いてユーザーが本発明を操作するための手段である。
【００１７】
ＷＷＷブラウザはインターネット、イントラネット上に存在するＨＴＭＬ（ハイパーテキストマークアップ言語）に代表されるページ記述言語を翻訳し、表示する機能を有するものである。
【００１８】
アプリケーションソフト群１０４は情報処理装置上で動作するアプリケーションソフト全般を示す。
【００１９】
言語解析手段１０５は上記ページ記述言語を解析し、その結果から予め設定してある命令文を検索する機能を有している。
【００２０】
記憶手段１０６は各種テキストデータを記憶するものである。
【００２１】
自動記述手段１０７は言語解析手段１０５の動作結果により、記憶手段１０６に記憶されているデータの内容を自動的にＷＷＷブラウザ上に記述するものである。
【００２２】
表示装置１０８はＷＷＷブラウザ１０３によって翻訳されたページや各アプリケーションソフト群１０４の内容を表示するものである。
【００２３】
本装置は外部からの情報を入手するために外部との通信手段を有しており、外部接続端子１０８は有線通信にて外部通信回線と接続するための端子であり、外部通信回線１０９を有線接続することで情報を入手する。この外部通信回線１０９は公衆電話回線やＬＡＮ（ローカルエリアネットワーク）その他多種の有線回線であってよい。外部接続端子１０８は前記外部通信回線１０９特有の端子部に適した形状を有している。これら外部通信回線との通信プロトコルは公知のものが多く出願されているので省略する。
【００２４】
また、外部接続端子１０８に以下に説明する無線通信手段と同等の機能を有するユニットを接続し、無線通信にて外部通信回線と接続しても良い。
【００２５】
無線通信手段１１０は無線通信にて外部通信回線と接続するための無線インターフェイスである。ここでは、一例として８００ＭＨｚ帯または１。５ＧＨｚ帯の周波数を使用する公知のデジタル通信システムや同様に公知の１。９ＧＨｚ帯の周波数を使用するＰＨＳ（パーソナルハンディフォンシステム）を想定しているが、ｂｌｕｅｔｏｏｔｈや無線ＬＡＮシステムなどあらゆる無線通信システムを使用しても良い。
【００２６】
表示部１１１は液晶等を用いた表示装置で本装置の動作状況や外部から入手した情報の表示を行う。また、表示部１１１はタッチパネルになっていても良く、表示されたアイコン等を所定のペン（図示略）、または利用者の指によって触れることにより、データの入力や機能指示が行われる。
【００２７】
本発明は多様なページ記述言語とそれを翻訳する多様なＷＷＷブラウザに適用することができるが、本実施例ではページ記述言語としてＨＴＭＬを例にとって説明する。
【００２８】
図２〜図４は本発明を実施する際の情報処理装置であり、図２は携帯電話機２０１を表し、図３は携帯型情報処理装置３０１を表し、図４は情報処理機能付き電話機４０１を表している。
【００２９】
図２の携帯電話２０１は表示部２０２、コマンド決定キー２０３、カーソルキー２０４、テンキー２０５、発呼キー２０６、回線切断キー２０７を有している。
【００３０】
表示部２０２は液晶等を用いた表示装置で携帯電話２０１の動作状況や外部から入手した情報の表示を行う。カーソルキー２０４は表示のスクロール、カーソルの移動時などに使用される。テンキー２０５は電話をかける際のダイヤル入力や、各キーにアサインされている文字を入力する際に使用される。コマンド決定キー２０３はテンキー２０５やカーソルキー２０４によって入力および選択された入力情報やコマンド等を実行する際に使用される。発呼キー２０６は電話を発呼する際に使用さる。回線切断キー２０７は電話の回線を切断する際に使用され、かつ各種動作を中止・終了する機能も有している。
【００３１】
これらを図１のブロック図に対応させると、表示部２０２は表示部１１１、コマンド決定キー２０３およびカーソルキー２０４およびテンキー２０５および、発呼キー２０６および回線切断キー２０７は操作手段１０２にそれぞれ対応する。
【００３２】
図３の携帯型情報処理装置３０１は表示部３０２、カーソルキー３０３、機能キー群３０４を有している。
【００３３】
表示部３０２は液晶等を用いた表示装置で携帯型情報処理装置３０１の動作状況や外部から入手した情報の表示を行う。また、表示部３０２はタッチパネルになっており表示されたアイコン等を所定のペン（図示略）、または利用者の指によって触れることにより、データの入力や機能指示が行われる。カーソルキー３０３は表示のスクロール、カーソルの移動時などに使用される。機能キー群３０４は前述のコマンド決定キー２０４と同等の機能やその他携帯がと情報処理装置３０１を操作するのに必要な機能がアサインされているキーであり、その個数は機種に依存する。
【００３４】
これらを図１のブロック図に対応させると、表示部３０２は表示部１１１、カーソルキー３０３および機能キー群３０４は操作手段１０２にそれぞれ対応する。
【００３５】
図４の情報処理機能付き固定電話４０１は表示部４０２、コマンド決定キー４０３、カーソルキー４０４、テンキー４０５、受話器４０６を有している。
【００３６】
表示部４０２は液晶等を用いた表示装置で情報処理機能付き固定電話４０１の動作状況や外部から入手した情報の表示を行う。また、表示部４０２はタッチパネルになっており表示されたアイコン等を所定のペン（図示略）、または利用者の指によって触れることにより、データの入力や機能指示が行われても良い。
【００３７】
カーソルキー４０４は表示のスクロール、カーソルの移動時などに使用される。テンキー４０５は電話をかける際のダイヤル入力や、各キーにアサインされている文字を入力する際に使用される。コマンド決定キー４０３はテンキー４０５やカーソルキー４０４によって入力および選択された入力情報やコマンド等を実行する際に使用される。受話器４０６はマイクとスピーカーを内蔵しており（図示略）電話機能を使用する際の受話・送話に使用される。
【００３８】
これらを図１のブロック図に対応させると、表示部４０２は表示部１１１、コマンド決定キー４０３およびカーソルキー４０４およびテンキー４０５は操作手段１０２にそれぞれ対応する。
【００３９】
図５は前記携帯電話２０１および携帯型情報処理装置３０１および情報処理機能付き固定電話４０１は入手したＷｅｂ情報をそれぞれの表示部に表示した際の表示画面５０１を示す。
【００４０】
ここに示すページ構成は本発明の効果が発揮される代表的なものであるが、異なったページ構成でも良い。
【００４１】
表示画面５０１はＷＷＷブラウザ表示内容５０２（以下表示内容と記す）で構成され、表示内容５０２には複数の独立した入力フィールド５０３とスイッチ５０６が含まれている。
【００４２】
このようなページでは複数の入力フィールド５０３にメールアドレスや暗証番号等の様々なテキストデータを入力するという動作が発生する。また、場合によってはスイッチ５０６を選択することで上記テキストデータを送信するなどして、次のステップのページへ移動することもある。
【００４３】
ここで利用者により入力された入力済みテキストデータ５０４や利用者により選択支持された入力フィールドを反転表示する被選択入力フィールド５０５などが利用者の操作状況により様々に表示される。
【００４４】
図６はＨＴＭＬにて前記表示内容５０２を作成した場合のソースデータの一部６０４を示す。ここでは本実施形態の説明に不要な部分は「・・・」で省略する。
【００４５】
ＨＴＭＬの記述ルールは公知であるので説明を省略するが、表示内容５０２を構成するためには少なくともフォームタグ６０１とテキストデータ入力用インプットタグ６０２が必要である。これらは表示内容５０２の製作者により様々なタグと組み合わされて記述される。ここで６０３はスイッチ入力用インプットタグである。
【００４６】
図７は記憶手段１０６内のコピー用一時記憶バッファ７０１領域を示しており、利用者が選択したテキストデータを一時的に選択順すなわち１番目からｎ番目といったように格納するものである。
【００４７】
図８および図９は本発明の実施の形態にかかる処理手順を示すフローチャートである。
また、以下で使用されるカウント値ｎは初期化（ｎ＝１）されているものとする。
【００４８】
まず利用者は得ようとするテキストデータを使用しているアプリケーションをアプリケーションソフト１〜ｎもしくはメールクライアントソフト１０４の中から操作手段１０２によって選択し起動する。起動中のアプリケーションの動作状況は表示部１１１に視覚的に表示され、利用者はこの表示部１１１より様々な情報を得る（ステップＳ８０１）。
【００４９】
利用者が操作手段１０２を用いて表示部１１１の内容をスクロールさせながら閲覧している際に、コピーのために選択可能かつ利用者が選択しようと判断したテキストデータがある場合は利用者が再び操作手段１０２を用いて該テキストデータを選択する（ステップＳ８０２）。
【００５０】
現時点で選択されているテキストデータに対して、利用者が操作手段１０２を用いてコピー命令が入力されるか否かを監視し、コピー命令が入力された場合はステップＳ８０４に進み、コピー命令が入力されない場合はステップＳ８０２に戻り再びコピー命令の入力を監視する（ステップＳ８０３）。
【００５１】
ステップＳ８０３にてコピー命令が入力された場合は、記憶手段１０６内の該テキストデータが格納されているエリアにアクセスし、該テキストデータを記憶手段１０６内のコピー用一時記憶バッファ７０１のｎ番目バッファにテキストデータｎとしてコピーし格納する（ステップＳ８０４）。
【００５２】
このとき利用者が操作手段１０２を用いてテキストデータのコピー動作の終了命令を入力した場合は本動作を終了する。本動作の終了命令が入力されなかった場合はステップＳ８０６に進む（ステップＳ８０５）。
【００５３】
カウント値ｎに１加算する（ステップＳ８０６）。
【００５４】
現在起動しているアプリケーションの終了命令が入力されたか否かを監視し、入力されていない場合はステップＳ８０２に戻り、利用者が操作手段１０２を用いてアプリケーションの終了命令を入力した場合はステップＳ８０８へ進む（ステップＳ８０７）。
【００５５】
ＣＰＵ１０１は所定の処理をしてアプリケーションを終了しステップＳ８０１に戻り、他のアプリケーションが起動されるか否かを監視する。
【００５６】
以上のフローを繰り返すことにより記憶手段１０６の内部に点在している所望のテキストデータをそれらを使用するアプリケーションを切換ながら連続的に抽出し、記憶手段１０６内のコピー用一時記憶バッファ７０１に順序良くコピーすることが可能となる。
【００５７】
次に図９を用いて説明する。
【００５８】
まず利用者は該装置に搭載されている無線通信手段１１０もしくは外部接続端子１０８に接続されている外部通信回線１０９によってＷｅｂ情報を取得する。取得したＷｅｂ情報はＷｅｂブラウザ１０３によって翻訳され表示部１１１にその内容を表示する。
表示された内容が表示内容５０２もしくはこれに類似する入力フィールドが複数あるような場合、利用者は操作手段１０２を用いて入力フィールドを選択し、入力モードにし、テキストデータを１字ずつ入力することを要求される。
【００５９】
本実施の形態では利用者が前記コピー用一時記憶バッファ７０１に格納したテキストデータを前記入力フィールドに一括入力命令を入力した時に、記述解析手段１０５が現在表示しているＷｅｂ情報のＨＴＭＬソースの中から「ＦＯＲＭ」タグ６０１を検索する。「ＦＯＲＭ」タグ６０１が含まれている場合はそのＷｅｂ情報が利用者に何かしらの入力を要求していると判断し、ステップＳ９０２へ進む。「ＦＯＲＭ」タグ６０１が含まれていない場合はステップＳ９０７に進む（ステップＳ９０１）。
【００６０】
ステップＳ９０１で「ＦＯＲＭ」タグ６０１が検索できなかった場合は現在表示しているＷｅｂ情報が利用者に入力を要求していないと判断し、「このページには入力できません」等と表示部１１１に表示しエラー告知し一括入力動作を終了する。（ステップＳ９０７）。
【００６１】
ステップＳ９０１で「ＦＯＲＭ」タグ６０１が検索された場合は、記述解析手段１０５が現在表示しているＷｅｂ情報のＨＴＭＬソースの中からテキスト入力用の「ＩＮＰＵＴ」タグ６０２を検索する。テキスト入力用「ＩＮＰＵＴ」タグ６０２とは少なくとも「ＩＮＰＵＴ」、「ＴＹＰＥ＝」、「ｔｅｘｔ」の３つの語が含まれている。ただし、この場合の大文字・小文字の区別はしないものとする。これらの３語が含まれている場合はそのＷｅｂ情報が利用者にテキストデータの入力を要求していると判断し、ステップＳ９０３に進む。これらの３語の内いずれかがかけている場合はステップＳ９０７に進む（ステップＳ９０２）。
【００６２】
ステップＳ９０２でテキスト入力用の「ＩＮＰＵＴ」タグ６０２が検索できなかった場合は現在表示しているＷｅｂ情報が利用者にテキストデータの入力を要求していない、もしくはこのＷｅｂ情報の作成者がＨＴＭＬの記述を間違えており本動作では入力できないと判断し、「このページには入力できません」等と表示部１１１に表示しエラー告知し一括入力動作を終了する（ステップＳ９０７）。
【００６３】
ステップＳ９０２でテキスト入力用の「ＩＮＰＵＴ」タグ６０２が検索された場合は、そのテキスト入力用の「ＩＮＰＵＴ」タグ６０２の個数すなわちテキスト入力フォームの個数をカウントする（ステップＳ９０３）。
【００６４】
前記ステップＳ９０３でカウントされたテキスト入力フォームの個数とコピー用一時記憶バッファ７０１に格納されているテキストデータ数とを比較する。テキスト入力フォームの個数≧テキストデータ数の場合は一括入力が可能であると判断しステップＳ９０５に進む。テキスト入力フォームの個数＜テキストデータ数の場合はステップＳ９０７に進む（ステップＳ９０４）。
【００６５】
ステップＳ９０４でテキスト入力フォームの個数＜テキストデータ数の場合は利用者が入力しようとしているテキストデータを全て一括入力できないと判断し、「このページには入力できません」等と表示部１１１に表示しエラー告知し一括入力動作を終了する。（ステップＳ９０７）。
【００６６】
自動記述手段１０７は利用者に代わり、１つ目の入力フィールドを選択し、入力モードに切り替え、コピー用一時記憶バッファ７０１に格納されているテキストデータ１を入力し、入力モードを終了し、次の入力フィールドを選択して入力していくといった動作をコピー用一時記憶バッファ７０１に格納されているテキストデータの数（ｎ）だけ繰り返す（ステップＳ９０５）。
【００６７】
現在表示しているＷｅｂ情報内にスイッチ５０６が含まれている場合はテキストデータの入力を完了し次のページへジャンプする、もしくはテキストデータの送信を促している。利用者は操作手段１０２を用いてスイッチを選択し決定し本動作を終了する（ステップＳ９０６）。
【実施例２】
【００６８】
上記実施形態のテキストデータの一括入力動作のステップＳ９０６において、該装置がテキストデータの自動一括入力後にスイッチ５０６を自動的にＯＮしても良いか否かの設定が利用者によって選択できるようになっており、自動的にＯＮしても良いという設定になっている場合は記述解析手段１０５が現在表示しているＷｅｂ情報のＨＴＭＬソースの中からスイッチ入力用の「ＩＮＰＵＴ」タグ６０３を検索する。スイッチ入力用「ＩＮＰＵＴ」タグ６０３とは少なくとも「ＩＮＰＵＴ」、「ＴＹＰＥ＝」、「ｓｕｂｍｉｔ」の３つの語が含まれている。ただし、この場合の大文字・小文字の区別はしないものとする。これらの３語が含まれている場合はそのＷｅｂ情報が利用者にスイッチの入力を要求していると判断し自動でスイッチ５０６をＯＮする。自動的にＯＮしても良いと設定されていない場合は利用者が操作手段１０２を用いてスイッチを選択し決定する。
【００６９】
ここでスイッチ入力用「ＩＮＰＵＴ」タグ検索の際には「ＩＮＰＵＴ」、「ＴＹＰＥ＝」、「ｓｕｂｍｉｔ」以外の語を検索対象にしても良い。
【実施例３】
【００７０】
上記実施形態において利用者は予め自動一括入力できるテキストデータの種類を設定できても良い。
【００７１】
Ｗｅｂページに入力するテキストデータの種類としては電子メールのアドレス、インターネット上のリソースのロケーションを指し示すＵＲＬ（Ｕｎｉｆｏｒｍ  Ｒｅｓｏｕｒｃｅ  Ｌｏｃａｔｏｒ）、これら電子メールアドレス、ＵＲＬを含む任意の文章の３通りが挙げられる。
【００７２】
電子メールアドレスは「＠」（アットマーク）を含んでおり、ＵＲＬは「ｈｔｔｐ」の文字列を含んでいる。
【００７３】
本実施例の装置は表示部１１１に前記電子メールアドレスおよびＵＲＬ、および文章の選択ができるような表示を行い、利用者はその内の少なくとも１つ以上を操作手段１０２によって選択・決定することができる。
【００７４】
電子メールアドレスが選択されている場合はステップＳ８０３にてコピー命令が入力された際に該テキストデータの文字列中に「＠」があるか否かを検索し、「＠」がある場合のみステップＳ８０４に進み、「＠」が無い場合は表示部１１１に「メールアドレスを選択してください」等と告知しステップＳ８０２へ戻る。
【００７５】
ＵＲＬが選択されている場合はステップＳ８０３にてコピー命令が入力された際に該テキストデータの文字列中に「ｈｔｔｐ」があるか否かを検索し、「ｈｔｔｐ」がある場合のみステップＳ８０４に進み、「ｈｔｔｐ」が無い場合は表示部１１１に「ＵＲＬを選択してください」等と告知しステップＳ８０２へ戻る。
【００７６】
電子メールとＵＲＬの両方が選択されている場合はステップＳ８０３にてコピー命令が入力された際に該テキストデータの文字列中に「＠」を含むものと「ｈｔｔｐ」を含むものがあるか否かを検索し、「＠」を含むものもしくは「ｈｔｔｐ」を含むものがある場合のみステップＳ８０４に進み、「＠」を含むものも「ｈｔｔｐ」を含むものも無い場合は表示部１１１に「メールアドレスかＵＲＬを選択してください」等と告知しステップＳ８０２へ戻る。
【００７７】
文章が選択されている場合は上記実施形態と同じ動作をする。
【００７８】
これらの動作は一括入力する段階でも実施でき、電子メールアドレスが選択されている場合はステップＳ９０５においてコピー用一時記憶バッファ７０１に格納されている一括入力するテキストデータの中から「＠」があるものだけを一括入力を行いステップＳ９０６へ進む。
【００７９】
コピー用一時記憶バッファ７０１に格納されている一括入力するテキストデータの中に「＠」を含むものが一つもない場合は表示部１１１に「メールアドレスがありません等と告知し終了する。
【００８０】
ＵＲＬが選択されている場合はステップＳ９０５においてコピー用一時記憶バッファ７０１に格納されている一括入力するテキストデータの中から「ｈｔｔｐ」があるものだけを一括入力を行いステップＳ９０６へ進む。
【００８１】
コピー用一時記憶バッファ７０１に格納されている一括入力するテキストデータの中に「ｈｔｔｐ」を含むものが一つもない場合は表示部１１１に「ＵＲＬがありません等と告知し終了する。
【００８２】
電子メールとＵＲＬの両方が選択されている場合はステップＳ９０５においてコピー用一時記憶バッファ７０１に格納されている一括入力するテキストデータの中から「＠」を含むものと「ｈｔｔｐ」を含むものだけを一括入力を行いステップＳ９０６へ進む。
【００８３】
コピー用一時記憶バッファ７０１に格納されている一括入力するテキストデータの中に「＠」を含むものや「ｈｔｔｐ」を含むものが一つもない場合は表示部１１１に「メールアドレスとＵＲＬがありません等と告知し終了する。
【００８４】
文章が選択されている場合は上記実施形態と同じ動作をする。
【実施例４】
【００８５】
上記実施形態において利用者は予め自動一括入力を禁止するテキストデータの種類を設定できても良い。
【００８６】
Ｗｅｂページに入力するテキストデータの種類としては電子メールのアドレス、インターネット上のリソースのロケーションを指し示すＵＲＬ（Ｕｎｉｆｏｒｍ  Ｒｅｓｏｕｒｃｅ  Ｌｏｃａｔｏｒ）、これら電子メールアドレス、ＵＲＬを含む任意の文章の３通りが挙げられる。
【００８７】
電子メールアドレスは「＠」（アットマーク）を含んでおり、ＵＲＬは「ｈｔｔｐ」の文字列を含んでいる。
【００８８】
本実施例の装置は表示部１１１に前記電子メールアドレスおよびＵＲＬおよび文章の内一括入力を禁止するテキストデータの種類の選択ができるような表示を行い、利用者はその内の少なくとも１つ以上を操作手段１０２によって選択・決定することができる。
【００８９】
電子メールアドレスが選択されている場合はステップＳ８０３にてコピー命令が入力された際に該テキストデータの文字列中に「＠」があるか否かを検索し、「＠」がある場合のみ表示部１１１に「メールアドレス以外を選択してください」等と告知しステップＳ８０２へ戻る。「＠」が無い場合はステップＳ８０４へ進む。
【００９０】
ＵＲＬが選択されている場合はステップＳ８０３にてコピー命令が入力された際に該テキストデータの文字列中に「ｈｔｔｐ」があるか否かを検索し、「ｈｔｔｐ」がある場合のみ「ＵＲＬ以外を選択してください」等と告知しステップＳ８０２へ戻る。「ｈｔｔｐ」が無い場合はステップＳ８０４へ進む。
【００９１】
電子メールとＵＲＬの両方が選択されている場合はステップＳ８０３にてコピー命令が入力された際に該テキストデータの文字列中に「＠」を含むものと「ｈｔｔｐ」を含むものがあるか否かを検索し、「＠」を含むものもしくは「ｈｔｔｐ」を含むものがある場合のみ表示部１１１に「メールアドレスとＵＲＬ以外を選択してください」等と告知しステップＳ８０２へ戻る。
【００９２】
「＠」を含むものも「ｈｔｔｐ」を含むものも無い場合はステップＳ８０４へ進む。
【００９３】
文章が選択されている場合は上記実施形態と同じ動作をする。
【００９４】
これらの動作は一括入力する段階でも実施でき、電子メールアドレスが選択されている場合はステップＳ９０５においてコピー用一時記憶バッファ７０１に格納されている一括入力するテキストデータの中から「＠」を含まないものだけを一括入力を行いステップＳ９０６へ進む。
【００９５】
コピー用一時記憶バッファ７０１に格納されている一括入力するテキストデータの中に「＠」を含まないものが一つもない場合は表示部１１１に「メールアドレス以外のデータがありません」等と告知し終了する。
【００９６】
ＵＲＬが選択されている場合はステップＳ９０５においてコピー用一時記憶バッファ７０１に格納されている一括入力するテキストデータの中から「ｈｔｔｐ」を含まないものだけを一括入力を行いステップＳ９０６へ進む。
【００９７】
コピー用一時記憶バッファ７０１に格納されている一括入力するテキストデータの中に「ｈｔｔｐ」を含まないものが一つもない場合は表示部１１１に「ＵＲＬ以外のデータがありません等と告知し終了する。
【００９８】
電子メールとＵＲＬの両方が選択されている場合はステップＳ９０５においてコピー用一時記憶バッファ７０１に格納されている一括入力するテキストデータの中から「＠」と「ｈｔｔｐ」を含まないものだけを一括入力を行いステップＳ９０６へ進む。
【００９９】
コピー用一時記憶バッファ７０１に格納されている一括入力するテキストデータの中に「＠」と「ｈｔｔｐ」を含まないものが一つもない場合は表示部１１１に「メールアドレスとＵＲＬ以外のデータがありません等と告知し終了する。
【０１００】
文章が選択されている場合は上記実施形態と同じ動作をする。
【０１０１】
以上実施例１乃至４で説明したように、本発明にかかる情報処理装置によれば、Ｗｅｂページを閲覧する前にＷｅｂページ上の複数の入力フィールドに入力すべくテキストデータを予め選択して記憶しておき、Ｗｅｂページを閲覧した際に利用者からの指示により前記記憶してあるテキストデータを自動一括入力する手段を設けたので、Ｗｅｂ閲覧中に一旦ＷＷＷブラウザを終了し電話帳などのデータベースアプリケーションを起動してテキストデータを参照し再びＷＷＷブラウザを起動する等といった煩雑なアプリケーションの切り替えを行わずに済み、インターネット接続に必要な料金も軽減し、また利用者は複数の入力フィールドに対して限られた入力手段からテキストデータを一字ずつ入力することが無くなり利用者への負担を軽減する装置の提供が可能になった。
【図面の簡単な説明】
【０１０２】
【図１】本発明の一実施形態である情報処理装置の構成を示すブロック図である。
【図２】携帯電話を示す図である。
【図３】携帯型情報処理装置を示す図である。
【図４】情報処理機能付き固定電話を示す図である。
【図５】情報処理装置の表示画面内容を示す図である。
【図６】情報処理装置の表示画面のＨＴＭＬソースを示す図である。
【図７】記憶手段１０６の一時記憶バッファ構成を示す図である。
【図８】本発明の一実施形態である情報処理装置の動作を示すフローチャート（１）である。
【図９】本発明の一実施形態である情報処理装置の動作を示すフローチャート（２）である。
【符号の説明】
【０１０３】
１０１  ＣＰＵ
１０２  操作手段
１０３  ＷＷＷブラウザ
１０４  アプリケーションソフト群
１０５  言語解析手段
１０６  記憶手段
１０７  自動記述手段
１０８  外部接続端子
１０９  外部通信回線
１１０  無線通信手段
１１１  表示部
２０１  携帯電話
２０２  表示部
２０３  コマンド決定キー
２０４  カーソルキー
２０５  テンキー
２０６  発呼キー
２０７  回線切断キー
３０１  携帯型情報処理装置
３０２  表示部
３０３  カーソルキー
３０４  機能キー群
４０１  固定電話
４０２  表示部
４０３  コマンド決定キー
４０４  カーソルキー
４０５  テンキー
４０６  受話器
【図１】
2006268327.tif 000003
【図２】
2006268327.tif 000004
【図３】
2006268327.tif 000005
【図４】
2006268327.tif 000006
【図５】
2006268327.tif 000007
【図６】
2006268327.tif 000008
【図７】
2006268327.tif 000009
【図８】
2006268327.tif 000010
【図９】
2006268327.tif 000011